(57)【特許請求の範囲】
【請求項１】
巻尺の目盛帯端部を保持する巻尺保持部の基部に、樋継手の樋接合部外周面を把持する樋継手把持部を連設してなる呼び樋採寸クリップであって、前記巻尺保持部には少なくとも２つの固定爪を対向状に具設し、前記樋継手把持部は、樋継手の樋接合部外周面に沿った略半割状の把持片にて形成するとともに、把持片の遊端部相互をボルト・ナットにて締着してなることを特徴とする呼び樋採寸クリップ。
【請求項２】
巻尺の目盛帯端部を保持する巻尺保持部の基部に、樋継手の樋接合部外周面を把持する樋継手把持部を連設してなる呼び樋採寸クリップであって、前記巻尺保持部には少なくとも２つの固定爪を対向状に具設し、前記樋継手把持部は、樋継手の樋接合部外周面全周に沿った一対のハーフリング状片からなり、かつ、一方のハーフリング状片の一端部と他方のハーフリング状片の一端部は枢着軸により枢着されているとともに、一方のハーフリング状片の他端部の係合孔に他方のハーフリング状片の他端部の係合突起部を、係合可能に形成してなることを特徴とする呼び樋採寸クリップ。
【発明の詳細な説明】
【技術分野】
【０００１】
本願発明は、呼び樋を配設施工する際に使用する巻尺を取付ける、呼び樋採寸クリップに関するものである。
【背景技術】
【０００２】
従来、図５に例示したような建物に配設施工される呼び樋の寸法測定は、たとえば、軒樋１０１側のエルボ１０３の端部から竪樋１０２側のエルボ１０４の端部までの寸法（軒出）を、巻尺１０５等で採寸する。採寸作業には、通常、軒出の長さに応じて、一人の施工者で採寸する場合と、図５の例のように、巻尺１０５の目盛帯１０６の端部を押さえる施工者１０７と目盛帯１０６の目盛を読む他の施工者１０８が巻尺１０５にて採寸する二人作業の場合とがあり、いずれの場合でも、軒出を採寸した後、軒出の長さに合わせて呼び樋を切断して配設施工している。
【０００３】
また、たとえば、呼び樋の必要な長さを測定する測定治具として、＜１＞建物の竪樋被固定部位に沿わせて配置可能な基部、＜２＞この基部に回動可能に取付けられた長尺の測定部材、＜３＞前記基部に設けられて測定部材の所定の傾斜角度を表示する傾斜角度表示目盛、そして、＜４＞前記測定部材に設けられて測定部材を前記所定の角度に傾斜させたときの壁面からの水平距離を表示する切断位置表示目盛とを設けてなる、呼び樋用測定治具が知られている（特許文献１参照）。
【特許文献１】実開平５−９０３０４号公報
【発明の開示】
【発明が解決しようとする課題】
【０００４】
しかしながら、図５に例示した呼び樋の配設施工において、軒出が長尺（通常、９００ｍｍ以上）の場合、一人作業では困難であるため、上記のとおりの二人作業、もしくは、作業効率が悪い現物あわせ作業となる。この二人作業による呼び樋の配設長さ（軒出）を巻尺１０５にて採寸する採寸作業は、巻尺１０５の目盛帯１０６の端部を合わせて押さえる施工者１０７と、巻尺１０５の目盛帯１０６の目盛を読む施工者１０８の二人が同時に作業する煩雑な作業となり、かつ、採寸の正確さという点でも満足すべきものであるとは言い難いという問題があった。
【０００５】
また、特許文献１記載のような呼び樋用測定治具は、扱いが簡便な巻尺を使用するものではなく、また、竪樋側のエルボの先端部と壁面等の竪樋被固定部位との距離をあらかじめ確認しておく必要があり、また、エルボに接続させた際の呼び樋の傾斜角度もあらかじめ設定する必要がある等、測定（採寸）に手間がかかるという問題があった。
【０００６】
本願発明は、上記従来の問題点を解消するためになされたものであり、扱いが簡便な巻尺を取付けて、呼び樋の配設長さ（軒出）の採寸を一人作業で容易に、かつ、正確に行うことができる、新しい呼び樋採寸クリップを提供することを課題とするものである。
【課題を解決するための手段】
【０００７】
本願発明は、上記の課題を解決するものとして、第１には、巻尺の目盛帯端部を保持する巻尺保持部の基部に、樋継手の樋接合部外周面を把持する樋継手把持部を連設してなる呼び樋採寸クリップであって、前記巻尺保持部には少なくとも２つの固定爪を対向状に具設し、樋継手把持部は、樋継手の樋接合部外周面に沿った略半割状の把持片にて形成するとともに、把持片の遊端部相互をボルト・ナットにて締着してなることを特徴とする。
【０００９】
また、第２には、樋継手把持部は、樋継手の樋接合部外周面全周に沿った一対のハーフリング状片からなり、かつ、一方のハーフリング状片の一端部と他方のハーフリング状片の一端部は枢着軸により枢着されているとともに、一方のハーフリング状片の他端部の係合孔に他方のハーフリング状片の他端部の係合突起部を、係合可能に形成してなることを特徴とする。
【発明の効果】
【００１０】
第１の発明によれば、扱いが簡便な巻尺を取付けて、呼び樋の配設長さ（軒出）の採寸を一人作業で容易に、かつ、正確に行うことができる。
【００１１】
また、第２の発明によれば、上記第１の発明の効果に加えて、樋継手の樋接合部外周面に対する把持をより容易に、かつ、確実にすることができる。
【発明を実施するための最良の形態】
【００１２】
本願発明は、上記のとおりの特徴をもつものであるが、以下に、添付した図面に沿って、本願発明の実施形態について詳細かつ具体的に説明する。
【００１３】
図１は、本願発明の呼び樋採寸クリップの一実施形態を例示した図であり、（Ａ）は正面図、（Ｂ）は側面図、（Ｃ）は平面図である。図２は、巻尺を取付けた本願発明の呼び樋採寸クリップを樋継手の樋接合部外周面に把持させる直前の様子と、把持させた様子を例示した模式図である。図３は、本願発明の呼び樋採寸クリップを用いた、呼び樋の配設長さ（軒出）の採寸作業を例示した概略図である。
【００１４】
まず、図１および図２に沿って、本願発明の呼び樋採寸クリップ１を説明する。
【００１５】
本願発明の呼び樋採寸クリップ１は、巻尺４の目盛帯５の端部５１を保持する巻尺保持部２の基部に、呼び樋等を接合するエルボ等からなる樋継手Ａの樋接合部Ａ１外周面を把持する樋継手把持部３を連設してなる呼び樋採寸クリップ１である。そして、本願発明の呼び樋採寸クリップ１は、前記巻尺保持部２に少なくとも２つの固定爪２１を対向状に具設し、また、前記樋継手把持部３は、樋継手の樋接合部外周面に沿った略半割状の把持片にて形成するとともに、把持片の遊端部相互をボルト・ナットにて締着してなることを特徴としている。
【００１６】
このとき、前記固定爪２１を対角位置に対向状に具設することで、巻尺４の目盛帯５端部５１の保持をより確実にすることができるとともに、着脱を簡単にすることができる。また、目盛帯５は、固定爪２１による保持だけでなく、目盛帯５の端部５１に具備されている掛止片５２を巻尺保持部２の基部に掛止めているため、その保持は安定しているとともに、目盛も正確に読み取ることができる。
【００１７】
この目盛の読み取りについて、より具体的に説明すると、採寸開始点であるエルボ等からなる樋継手Ａの樋接合部Ａ１基部Ａ２は、目盛帯５の端部５１に位置する。このため、通常、目盛帯５における目盛値「０」は、目盛帯５の端部５１に設定されていることを考慮すると、前記基部Ａ２が目盛帯５の端部５１に位置することで、目盛値「０」と基部Ａ２とが一致し、呼び樋の配設長さの採寸作業を正確に行うことができる。また、多くの場合、掛止片５２は目盛帯５の端部５１に固着されているため、目盛帯５の掛止めと、目盛値「０」と前記基部Ａ２とを一致させることが同時に実現できる。
【００１８】
なお、巻尺４の目盛帯５は、伸張（引き出し）および収納が自在で、伸張状態である程度の剛性を有していることが好ましい。また、一般的に市販の巻尺４は目盛帯５の幅が、個々の巻尺によって異なり、１０〜２５ｍｍ幅のものが汎用されているが、このような市販の巻尺４でも、巻尺保持部２の幅内に収めることができるため、目盛帯５の幅を問わずに目盛帯５を簡単に、また、着脱自在に保持することができる。
【００１９】
上記のとおり、本願発明における樋継手把持部３は、その形状が、樋継手Ａの樋接合部Ａ１外周面に沿った略半割状の把持片３１にて形成しているとともに、この把持片３１の遊端部８相互を、蝶ボルト等からなるボルト６と、このボルト６を螺着するナット７にて締着することで、樋継手Ａに対する把持をより簡単、かつ、確実にすることができる。すなわち、樋継手Ａの樋接合部Ａ１外周面への樋継手把持部３の嵌合および取り外しは、蝶ボルト等からなるボルト６およびナット７を締めることで、樋継手把持部３の樋接合部Ａ１外周面に対する締め付けができる。また、取り外すときは、このボルト６を緩めるだけで、樋継手把持部３の樋接合部Ａ１外周面に対する締め付けを解除できる。
【００２０】
なお、ボルト６をスムーズに挿入するため、一方の遊端部８にボルト６を挿通する挿通孔８１を設け、他方の遊端部８に挿通孔８１と連通するようにナット７を設ける。
また、図１の例のように、ボルト６は蝶ボルトを使用することで、手指を引っ掛け易く力を入れ易いため、樋継手把持部３を締めることや緩めることが容易であり、好ましい。
【００２１】
このような特徴を有する呼び樋採寸クリップ１は、扱いが簡便な巻尺４を取付けることができ、図３の例のように、軒樋Ｂ側の樋継手Ａの端部から竪樋Ｃ側の樋継手Ａの端部までの寸法、つまり、呼び樋の配設長さ（軒出）が、長尺（通常、９００ｍｍ以上）であっても、軒出の採寸を施工者Ｄ一人による一人作業で容易に、かつ、正確に行うことができる。そして、図には示していないが、採寸後は、従来どおりに必要な長さで樋をカットして配設施工すればよい。
【００２２】
なお、樋継手Ａは各種のものがあるが、図２、３の例では、エルボを樋継手Ａとして例示した。
【００２７】
図４は、本願発明の呼び樋採寸クリップのさらに別の実施形態を例示した図であり、（Ａ）は正面図、（Ｂ）は側面図、（Ｃ）は平面図である。
【００２８】
さらに、本願発明の呼び樋採寸クリップ１の樋継手把持部３は、その形状が、樋継手Ａの樋接合部Ａ１外周面の全周囲を囲む形状に形成されている。具体的には、樋継手Ａの樋接合部Ａ１外周面全周に沿った一対のハーフリング状片９１、９２とからなる全体として略リング状部９を形成している。一方のハーフリング状片９１の一端部と他方のハーフリング状片９２の一端部は、枢着軸１０により枢着されているとともに、一方のハーフリング状片９１の他端部に形成されている係合孔１１に他方のハーフリング状片９２の他端部に形成されている係合突起部１２を、簡単に、しかも確実に係合可能に形成してなる。このようにハーフリング状片９１とハーフリング状片９２とを係合させることで、ハーフリング状片９１、ハーフリング状片９２それぞれの内面に形成されている噛み込み片１３が、樋継手Ａの樋接合部Ａ１外周面に喰い付く。このような構成とすることで、呼び樋採寸クリップ１は、樋継手Ａに確実に保持させることができ、採寸作業をさらに容易に行うことができる。
【００２９】
すなわち、本願発明の呼び樋採寸クリップ１は、たとえば、図１、図４に例示したような構成とすることで、扱いが簡便な巻尺４を取付けて、呼び樋の配設長さ（軒出）の採寸を一人作業で容易に、かつ、正確に行うことができる。より詳しくは、本願発明の呼び樋採寸クリップ１によって、市販の巻尺４の目盛帯５でも簡単、かつ、着脱自在に保持することができるとともに、エルボ等の樋継手Ａに簡単、かつ、着脱自在に、しかも安定に保持させることができる。さらには、従来の二人の施工者による採寸作業において問題であった、目盛帯５を所定位置まで引き出す際の引き出し力によって、目盛帯５を保持している施工者の手から外れてしまった際に、再び目盛帯５を保持し直す等の作業を行わなければならないといった問題も解消することができる。
【００３０】
もちろん、本願発明の呼び樋採寸クリップは、以上の例示によって限定されるものではなく、その細部において様々な態様とすることが可能であることはいうまでもない。
【図面の簡単な説明】
【００３１】
【図１】本願発明の呼び樋採寸クリップの一実施形態を例示した図であり、（Ａ）は正面図、（Ｂ）は側面図、（Ｃ）は平面図である。
【図２】巻尺を取付けた本願発明の呼び樋採寸クリップを樋継手の樋接合部外周面に把持させる直前の様子と、把持させた様子を例示した模式図である。
【図３】本願発明の呼び樋採寸クリップを用いた、呼び樋の配設長さ（軒出）の採寸作業を例示した概略図である。
【図４】本願発明の呼び樋採寸クリップのさらに別の実施形態を例示した図であり、（Ａ）は正面図、（Ｂ）は側面図、（Ｃ）は平面図である。
【図５】従来の呼び樋の配設長さ（軒出）の採寸作業を例示した概略図である。
【符号の説明】
【００３２】
１  呼び樋採寸クリップ
２  巻尺保持部
２１  固定爪
３  樋継手把持部
３１  把持片
４  巻尺
５  目盛帯
５１  端部
５２  掛止片
６  ボルト
７  ナット
８  遊端部
８１  挿通孔
９  リング状部
９１、９２  ハーフリング状片
１０  枢着軸
１１  係合孔
１２  係合突起部
１３  噛み込み片
Ａ  樋継手
Ａ１  樋接合部
Ａ２  基部
Ｂ  軒樋
Ｃ  竪樋
Ｄ  施工者
１０１  軒樋
１０２  竪樋
１０３、１０４  エルボ
１０５  巻尺
１０６  目盛帯
１０７、１０８  施工者
【図１】
0004525486.tif 000002
【図４】
0004525486.tif 000003
【図５】
0004525486.tif 000004
【図２】
0004525486.tif 000005
【図３】
0004525486.tif 000006